(57)【要約】【課題】同期信号同期が異なる映像信号、あるいは非標準信号を最低限のビデオメモリを用いて出力側同期に合わせた映像信号に変換できる映像信号の同期乗換装置、映像信号変換装置、および同期信号乗換方法を提供する。【解決手段】映像信号から分離された同期信号ＷＳＹＮＣを契機に画像データを書き込むビデオメモリをサイクリックに切り替え、出力となる映像信号の同期信号ＲＳＹＮＣを契機に、書き込みが終了したビデオメモリを読み込み、書き込んでいるビデオメモリと読み込んでいるビデオメモリの位置関係と書き込みが終了したライン数から次の出力となる映像信号の同期信号を契機に読み込みを行うビデオメモリを決定し、ビデオメモリの順次読み出しが不可能な場合は連続した２フィールドを繰り返し、あるいは追い越すことにより異なる同期信号周期を持つ映像信号を出力となる映像信号の同期信号周期に乗り換える同期乗換部１０６を有する。【選択図】図５
2007110251.tif 000002
【特許請求の範囲】
【請求項１】
同期信号周期を持つ入力デジタル映像信号を出力となる映像信号の同期信号周期に乗り換える同期信号乗換装置であって、
ビデオメモリと、
入力されるデジタル映像信号に含まれる同期信号を契機に、ビデオメモリへの書き込みを行う機能と、
書き込みが完了したライン数を検出する機能と、
出力となる映像信号の同期信号を契機に、ビデオメモリから読み込みを行う機能と、を含む同期乗換部を有し、
上記同期乗換部は、
入力される映像信号に含まれる同期信号を契機に、書き込むビデオメモリをサイクリックに切り替え、出力となる映像信号の同期信号を契機に、書き込みが終了したビデオメモリを読み込み、当該書き込んでいるビデオメモリと読み込んでいるビデオメモリの位置関係と、書き込みが終了したライン数から、次の出力となる映像信号の同期信号を契機に読み込みを行うビデオメモリを決定する
同期信号乗換装置。
【請求項２】
上記同期乗換部は、ビデオメモリの順次読み出しが不可能な場合は、既に読み出したビデオメモリの読み出しを繰り返すこと、あるいは読み出しているビデオメモリを追い越して読み出すことにより、異なる同期信号周期を持つ映像信号を出力となる映像信号の同期信号周期に乗り換える
請求項１記載の同期信号乗換装置。
【請求項３】
上記同期乗換部は、あらかじめ設定した追い越し閾値と書き込みが終了したライン数とを比較して、上記ビデオメモリの追い越し読み出しを行うか否かを決定する
請求項２記載の同期信号乗換装置。
【請求項４】
上記同期乗換部は、書き込みが終了したライン数が上記追い越し閾値を超えている場合に上記追い越し読み出しを行う
請求項３記載の同期信号乗換装置。
【請求項５】
上記同期乗換部は、上記ビデオメモリへの書き込み周期が読み出し周期より長い場合、あらかじめ設定した繰り返し閾値と書き込みが終了したライン数とを比較して、上記ビデオメモリの繰り返し読み出しを行うか否かを決定する
請求項２記載の同期信号乗換装置。
【請求項６】
上記同期乗換部は、書き込みが終了したライン数が上記繰り返し閾値を超えている場合に上記繰り返し読み出しを行う
請求項５記載の同期信号乗換装置。
【請求項７】
上記同期乗換部は、
上記ビデオメモリへの書き込み周期が読み出し周期より短い場合、あらかじめ設定した追い越し閾値と書き込みが終了したライン数とを比較して、上記ビデオメモリの追い越し読み出しを行うか否かを決定し、書き込みが終了したライン数が上記追い越し閾値を超えている場合に上記追い越し読み出しを行い、
上記ビデオメモリへの書き込み周期が読み出し周期より長い場合、あらかじめ設定した繰り返し閾値と書き込みが終了したライン数とを比較して、上記ビデオメモリの繰り返し読み出しを行うか否かを決定し、書き込みが終了したライン数が上記繰り返し閾値を超えている場合に上記繰り返し読み出しを行う
請求項２記載の同期信号乗換装置。
【請求項８】
上記追い越し閾値と繰り返し閾値の少なくとも一方は画像の表示対象外のブランキングエリアをマージンとして決定されている
請求項７記載の同期信号乗換装置。
【請求項９】
同期信号を含む入力デジタル映像信号から同期信号と画像データを分離する分離回路と、
出力となる映像信号の同期信号を発生する同期信号発生回路と、
ビデオメモリを有し、上記分離回路による同期信号を書き込み同期信号として入力し、上記同期信号発生回路の同期信号を読み出し同期信号として入力し、当該書き込み同期信号と読み出し同期信号を契機として、上記ビデオメモリに対する画像データの書き込みおよび読み出しを行う同期信号乗換装置と、
上記同期信号乗換装置において読み出された画像データに対して上記同期信号発生回路により発生された同期信号に同期して所定の処理を行って映像信号を出力する処理出力部と、を有し、
上記同期信号乗換装置は、
入力されるデジタル映像信号に含まれる同期信号を契機に、ビデオメモリへの書き込みを行う機能と、
書き込みが完了したライン数を検出する機能と、
出力となる映像信号の同期信号を契機に、ビデオメモリから読み込みを行う機能と、を含む同期乗換部を有し、
上記同期乗換部は、
入力される映像信号に含まれる同期信号を契機に、書き込むビデオメモリをサイクリックに切り替え、出力となる映像信号の同期信号を契機に、書き込みが終了したビデオメモリを読み込み、当該書き込んでいるビデオメモリと読み込んでいるビデオメモリの位置関係と、書き込みが終了したライン数から、次の出力となる映像信号の同期信号を契機に読み込みを行うビデオメモリを決定する
映像信号変換装置。
【請求項１０】
上記同期乗換部は、ビデオメモリの順次読み出しが不可能な場合は、既に読み出したビデオメモリの読み出しを繰り返すこと、あるいは読み出しているビデオメモリを追い越して読み出すことにより、異なる同期信号周期を持つ映像信号を出力となる映像信号の同期信号周期に乗り換える
請求項９記載の映像信号変換装置。
【請求項１１】
上記同期乗換部は、あらかじめ設定した追い越し閾値と書き込みが終了したライン数とを比較して、上記ビデオメモリの追い越し読み出しを行うか否かを決定する
請求項１０記載の映像信号変換装置。
【請求項１２】
上記同期乗換部は、書き込みが終了したライン数が上記追い越し閾値を超えている場合に上記追い越し読み出しを行う
請求項１１記載の映像信号変換装置。
【請求項１３】
上記同期乗換部は、上記ビデオメモリへの書き込み周期が読み出し周期より長い場合、あらかじめ設定した繰り返し閾値と書き込みが終了したライン数とを比較して、上記ビデオメモリの繰り返し読み出しを行うか否かを決定する
請求項１０記載の映像信号変換装置。
【請求項１４】
上記同期乗換部は、書き込みが終了したライン数が上記繰り返し閾値を超えている場合に上記繰り返し読み出しを行う
請求項１３記載の映像信号変換装置。
【請求項１５】
上記同期乗換部は、
上記ビデオメモリへの書き込み周期が読み出し周期より短い場合、あらかじめ設定した追い越し閾値と書き込みが終了したライン数とを比較して、上記ビデオメモリの追い越し読み出しを行うか否かを決定し、書き込みが終了したライン数が上記追い越し閾値を超えている場合に上記追い越し読み出しを行い、
上記ビデオメモリへの書き込み周期が読み出し周期より長い場合、あらかじめ設定した繰り返し閾値と書き込みが終了したライン数とを比較して、上記ビデオメモリの繰り返し読み出しを行うか否かを決定し、書き込みが終了したライン数が上記繰り返し閾値を超えている場合に上記繰り返し読み出しを行う
請求項１０記載の映像信号変換装置。
【請求項１６】
上記追い越し閾値と繰り返し閾値の少なくとも一方は画像の表示対象外のブランキングエリアをマージンとして決定されている
請求項１５記載の映像信号変換装置。
【請求項１７】
同期信号周期を持つ入力デジタル映像信号を出力となる映像信号の同期信号周期に乗り換える同期信号乗換方法であって、
入力される映像信号に含まれる同期信号を契機に、書き込むビデオメモリをサイクリックに切り替え、
出力となる映像信号の同期信号を契機に、書き込みが終了したビデオメモリを読み込み、
当該書き込んでいるビデオメモリと読み込んでいるビデオメモリの位置関係と、書き込みが終了したライン数から、次の出力となる映像信号の同期信号を契機に読み込みを行うビデオメモリを決定する
同期信号乗換方法。
【請求項１８】
ビデオメモリの順次読み出しが不可能な場合は、既に読み出したビデオメモリの読み出しを繰り返すこと、あるいは読み出しているビデオメモリを追い越して読み出すことにより、異なる同期信号周期を持つ映像信号を出力となる映像信号の同期信号周期に乗り換える
請求項１７記載の同期信号乗換方法。
【発明の詳細な説明】
【技術分野】
【０００１】
本発明は、任意のデジタル映像信号を所定のデジタルインターフェースに出力する際に用いる、ビデオメモリを使用した映像信号の同期信号乗換装置および映像信号変換装置、並びに同期信号乗換方法に関するものである。
【背景技術】
【０００２】
精度の高い入力映像信号から出力映像信号への同期信号の乗り換えは、専用のハードウェアとビデオメモリにより行われる。ただし、専用のハードウェアを用いるためコスト高になってしまう。
そのため、高精度を必要としない場合は、複数面のビデオメモリを用いたソフトウェアによる同期信号乗り換えを行う方法が一般的である。
なお、以降の説明については、ビデオメモリの制御単位をフィールドとする。
【０００３】
ソフトウェアによる複数面のビデオメモリを用いた同期信号の乗り換えは、入力映像信号の同期信号を契機に、複数面あるビデオメモリを順次切り替えながらサイクリックに画像データを書き込む。
さらに、出力映像信号の同期信号を契機に、書き込まれたビデオメモリを読み出す。
出力映像信号の同期信号を契機に読み出されるビデオメモリは、出力映像信号の同期信号発生時の書き込み中のビデオメモリと読み込み中のビデオメモリの位置関係で、次回の読み出しビデオメモリを決定する。
【０００４】
図１は、ビデオメモリを４面使用した場合の書き込み中、読み出し中ビデオメモリの位置関係と次回の読み出しビデオメモリ（ＶＭ）を示す図である。
図１において、位置状態として４つの状態１１，１２，１３，１４を示している。
図２（Ａ）〜（Ｆ）は図１の状態１３の場合の読み出し処理を示す図であり、図３（Ａ）〜（Ｆ）は図１の状態１４の場合の読み出し処理を示す図である。
図２および図３の（Ａ）が入力映像信号ＩＶＤＯを、（Ｂ）が入力映像信号の同期信号ＳＹＮＣＩを、（Ｃ）が出力映像信号の同期信号ＳＹＮＣＯを、（Ｄ）が書き込み中のビデオメモリ（ＶＭ）の状態を、（Ｅ）が読み出し中のビデオメモリ（ＶＭ）の状態を、（Ｆ）が出力映像信号ＯＶＤＯをそれぞれ示している。
【０００５】
図１に示す状態１３が書き込みが読み出しに追いついてしまった場合の２フィールド追い越しであり、図２に示すように、次回には現在読み出しているビデオメモリの三つ後ろのビデオメモリを読み出す。
【０００６】
図１に示す状態１４が読み出しが書き込みに追いついてしまった場合の２フィールドの繰り返しであり、図３に示すように、次回には現在読み出しているビデオメモリの一つ前のビデオメモリを読み出す。
【０００７】
図１の状態１１と状態１２は安定状態であり、現在読み出しているビデオメモリの一つ後ろのビデオメモリを読み出す。
【発明の開示】
【発明が解決しようとする課題】
【０００８】
しかしながら、入力映像信号と出力映像信号の同期信号の周期が近似している場合、同期信号の間隔に揺らぎが存在すると、図４に示すように、追い越しと繰り返しが連続して発生し、同期乗り換えに失敗する。本来であれば、近似しているため、安定状態で順次読み出しが可能でなければならない。
【０００９】
通常、この現象を回避するため、新たにマージンとなるビデオメモリを設け、同期乗り換えを行う。
ビデオメモリは、ハードウェア制限として常に枯渇しがちな資源であり、できるだけ最小構成をとることが望ましく、製品コストへ直接影響する。
【００１０】
ここで、同期信号間隔の揺らぎの原因となる一例を以下に列挙する。
インターレース映像をフィールド単位で制御した場合、奇数行と偶数行の画像が交互に繰り返されるため、同期信号の間隔も長短を繰り返す。
ハードウェアが映像信号から同期信号を検出し、割り込みとしてソフトウェアに通知する場合、そのときのソフトウェアの動作状況により割り込むタイミングがずれ込む。
アナログＶＴＲからの映像信号を入力とした場合、記録されているＶＴＲテープの状態により、同期信号の間隔が不安定になることがある。また、早送り、巻き戻し、コマ送りなどを行った場合、フレーム、あるいはフィールド中の走査線の数が変動し、非標準信号となる。
【００１１】
本発明の目的は、同期信号同期が異なる映像信号、あるいは非標準信号を最低限のビデオメモリを用いて出力側同期に合わせた映像信号に変換することを可能とできる映像信号の同期信号乗換装置および映像信号変換装置、並びに同期信号乗換方法を提供することにある。
【課題を解決するための手段】
【００１２】
本発明の第１の観点は、同期信号周期を持つ入力デジタル映像信号を出力となる映像信号の同期信号周期に乗り換える同期信号乗換装置であって、ビデオメモリと、入力されるデジタル映像信号に含まれる同期信号を契機に、ビデオメモリへの書き込みを行う機能と、書き込みが完了したライン数を検出する機能と、出力となる映像信号の同期信号を契機に、ビデオメモリから読み込みを行う機能と、を含む同期乗換部を有し、上記同期乗換部は、入力される映像信号に含まれる同期信号を契機に、書き込むビデオメモリをサイクリックに切り替え、出力となる映像信号の同期信号を契機に、書き込みが終了したビデオメモリを読み込み、当該書き込んでいるビデオメモリと読み込んでいるビデオメモリの位置関係と、書き込みが終了したライン数から、次の出力となる映像信号の同期信号を契機に読み込みを行うビデオメモリを決定する。
【００１３】
本発明の第２の観点の映像信号変換装置は、同期信号を含む入力デジタル映像信号から同期信号と画像データを分離する分離回路と、出力となる映像信号の同期信号を発生する同期信号発生回路と、ビデオメモリを有し、上記分離回路による同期信号を書き込み同期信号として入力し、上記同期信号発生回路の同期信号を読み出し同期信号として入力し、当該書き込み同期信号と読み出し同期信号を契機として、上記ビデオメモリに対する画像データの書き込みおよび読み出しを行う同期信号乗換装置と、上記同期信号乗換装置において読み出された画像データに対して上記同期信号発生回路により発生された同期信号に同期して所定の処理を行って映像信号を出力する処理出力部と、を有し、上記同期信号乗換装置は、入力されるデジタル映像信号に含まれる同期信号を契機に、ビデオメモリへの書き込みを行う機能と、書き込みが完了したライン数を検出する機能と、出力となる映像信号の同期信号を契機に、ビデオメモリから読み込みを行う機能と、を含む同期乗換部を有し、上記同期乗換部は、入力される映像信号に含まれる同期信号を契機に、書き込むビデオメモリをサイクリックに切り替え、出力となる映像信号の同期信号を契機に、書き込みが終了したビデオメモリを読み込み、当該書き込んでいるビデオメモリと読み込んでいるビデオメモリの位置関係と、書き込みが終了したライン数から、次の出力となる映像信号の同期信号を契機に読み込みを行うビデオメモリを決定する。
【００１４】
好適には、上記同期乗換部は、ビデオメモリの順次読み出しが不可能な場合は、既に読み出したビデオメモリの読み出しを繰り返すこと、あるいは読み出しているビデオメモリを追い越して読み出すことにより、異なる同期信号周期を持つ映像信号を出力となる映像信号の同期信号周期に乗り換える。
【００１５】
好適には、上記同期乗換部は、あらかじめ設定した追い越し閾値と書き込みが終了したライン数とを比較して、上記ビデオメモリの追い越し読み出しを行うか否かを決定する。
【００１６】
好適には、上記同期乗換部は、書き込みが終了したライン数が上記追い越し閾値を超えている場合に上記追い越し読み出しを行う。
【００１７】
好適には、上記同期乗換部は、上記ビデオメモリへの書き込み周期が読み出し周期より長い場合、あらかじめ設定した繰り返し閾値と書き込みが終了したライン数とを比較して、上記ビデオメモリの繰り返し読み出しを行うか否かを決定する。
【００１８】
好適には、上記同期乗換部は、書き込みが終了したライン数が上記繰り返し閾値を超えている場合に上記繰り返し読み出しを行う。
【００１９】
好適には、上記同期乗換部は、上記ビデオメモリへの書き込み周期が読み出し周期より短い場合、あらかじめ設定した追い越し閾値と書き込みが終了したライン数とを比較して、上記ビデオメモリの追い越し読み出しを行うか否かを決定し、書き込みが終了したライン数が上記追い越し閾値を超えている場合に上記追い越し読み出しを行い、上記ビデオメモリへの書き込み周期が読み出し周期より長い場合、あらかじめ設定した繰り返し閾値と書き込みが終了したライン数とを比較して、上記ビデオメモリの繰り返し読み出しを行うか否かを決定し、書き込みが終了したライン数が上記繰り返し閾値を超えている場合に上記繰り返し読み出しを行う。
【００２０】
好適には、上記追い越し閾値と繰り返し閾値の少なくとも一方は画像の表示対象外のブランキングエリアをマージンとして決定されている。
【００２１】
本発明の第３の観点は、同期信号周期を持つ入力デジタル映像信号を出力となる映像信号の同期信号周期に乗り換える同期信号乗換方法であって、入力される映像信号に含まれる同期信号を契機に、書き込むビデオメモリをサイクリックに切り替え、出力となる映像信号の同期信号を契機に、書き込みが終了したビデオメモリを読み込み、当該書き込んでいるビデオメモリと読み込んでいるビデオメモリの位置関係と、書き込みが終了したライン数から、次の出力となる映像信号の同期信号を契機に読み込みを行うビデオメモリを決定する。
【発明の効果】
【００２２】
本発明により、ソフトウェア制御下で、マージンとして用いるビデオメモリを必要としない、映像信号の同期信号乗換装置を実現できる。
ビデオメモリは容量が大きく、ビデオメモリの削減により、コストを抑えることができる。
【発明を実施するための最良の形態】
【００２３】
以下、本発明の実施形態を図面に関連付けて説明する。
【００２４】
図５は、本発明の実施形態に係る同期信号乗換装置を適用した映像信号変換装置の構成例を示すブロック図である。
本実施形態の映像信号変換装置は、地上波アナログチューナー、ＶＴＲ装置等のアナログ映像信号（非標準信号を含む）や、i.Linkからのデジタル映像信号など、映像信号自身に同期信号を含んでいる映像を、デジタルインターフェースで伝送可能な標準信号に変換するものである。
【００２５】
本実施形態の映像信号変換装置１００は、アナログ信号入力部１０１、デジタル信号入力部１０２、アナログ／デジタル（Ａ／Ｄ）変換部１０３、切替部１０４、画像データ・映像信号分離回路１０５、同期乗換部１０６、出力映像信号同期信号発生回路１０７、画像処理回路１０８、および映像出力部１０９を有する。
【００２６】
アナログ信号入力部１０１は、入力されるアナログ映像信号をＡ／Ｄ変換部１０２に出力する。
Ａ／Ｄ変換部１０２は、アナログ映像信号をデジタル映像信号に変換して切替部１０４に出力する。
デジタル信号入力部１０３は、入力されるデジタル映像信号を切替部１０４に出力する。
切替部１０４は、図示しない制御系の制御の下、Ａ／Ｄ変換部１０２によるデジタル映像信号またはデジタル信号入力部１０３によるデジタル映像信号を選択的に画像データ・同期信号分離回路１０５に入力させる。
【００２７】
画像データ・同期信号分離回路１０５は、切替部１０４を介して入力した映像信号から画像データＩＭと同期信号（水平同期信号ＨＳＹＮＣおよび垂直同期信号ＶＳＹＮＣ）ＳＹＮＣとを分離し、分離した映像データＩＭと、分離した同期信号、たとえば垂直導式信号ＶＳＹＮＣを書き込み同期信号ＷＳＹＮＣとして同期乗換部１０６に供給する。
【００２８】
同期乗換部１０６は、複数（本実施形態では４）のビデオメモリ（ＶＭ）１０６１〜１０６４を有する。具体的には、本実施形態においては、ビデオメモリは、フィールド単位で制御する場合は４面、フレーム単位で制御する場合は２面を要する。
同期乗換部１０６は、入力されるデジタル映像信号から分離された同期信号ＷＳＹＮＣを契機に、ビデオメモリへの書き込みを行う機能と、書き込みが完了したライン数を検出する機能を有している。
また、同期乗換部１０６は、出力映像信号同期信号発生回路１０７で生成される出力となる所定のデジタルインターフェースの同期信号Ｓ１０７を契機に、画像データをビデオメモリから読み込みを行う機能を有している。
同期乗換部１０６は、入力される映像信号から分離された同期信号を契機に、画像データを書き込むビデオメモリをサイクリックに切り替え、出力となる映像信号の同期信号Ｓ１０７（ＲＳＹＮＣ）を契機に、書き込みが終了したビデオメモリを読み込む。
同期乗換部１０６は、この書き込んでいるビデオメモリと読み込んでいるビデオメモリの位置関係と、書き込みが終了したライン数から、次の出力となる映像信号の同期信号を契機に読み込みを行うビデオメモリを決定し、ビデオメモリの順次読み出しが不可能な場合は、連続した２フィールドを繰り返すこと、あるいは追い越すことにより、異なる同期信号周期を持つ映像信号を出力となる映像信号の同期信号周期に乗り換える。
同期乗換部１０６は、ビデオメモリをフレーム単位で制御する場合は、１フレームの繰り返し、あるいは、追い越しを行う。
この同期乗換部１０６の機能について、後でさらに詳述する。
【００２９】
出力映像信号同期信号発生回路１０７は、映像出力となる所定のデジタルインターフェースとしての映像出力部１０９の同期信号Ｓ１０７を自走で生成する。
また、出力映像信号同期信号発生回路１０７は、同期信号Ｓ１０７を読み出し同期信号ＲＳＹＮＣとして同期乗換部１０６に供給し、画像処理同期信号ＩＳＹＮＣとして画像処理回路１０８に供給する。
【００３０】
画像処理回路１０８は、画像処理同期信号ＩＳＹＮＣに同期して、同期乗換部１０６において読み出し同期信号ＲＳＹＮＣに同期してビデオメモリから読み出された画像データに対して所定の画像処理、たとえば拡大、縮小処理等を行って映像出力部１０９に出力する。
【００３１】
映像出力部１０９は、同期信号Ｓ１０７に同期して画像処理回路１０８によって所定の画像処理を受けた映像信号を図示しない表示装置等に出力する。
【００３２】
次に、上記構成による動作を、同期乗換部１０６の動作を中心に説明する。
【００３３】
図５の映像信号変換装置１００において、アナログ信号入力部１０１に、地上波アナログチューナーからのアナログ映像信号が入力される。このアナログ信号入力部１０１からの信号がＡ／Ｄ変換部１０２に入力され、デジタル化された映像信号が、切替部１０４、画像データ・映像信号分離回路１０５を経由して同期乗換部１０６に供給される。
あるいは、デジタル映像信号入力部１０３に、i.Linkからのデジタル映像信号が入力され、切替部１０４、画像データ・映像信号分離回路１０５を経由して同期乗換部１０６に供給される。
この同期乗換部１０６で映像信号のフレーム単位、あるいはフィールド単位の繰り返し、追い越しが実施され、出力映像信号同期信号発生回路１０７から供給された同期信号ＲＳＹＮＣに合わせた映像信号が、画像処理部１０８に供給される。
【００３４】
以降、同期乗換部１０６の具体的な処理について説明するが、ここでは、すべてビデオメモリの制御単位はフィールドとして扱う。
【００３５】
同期乗換部１０６においては、画像データ・映像信号分離回路１０５から供給される書き込み同期信号ＷＳＹＮＣを契機に、４面のビデオメモリ１０６１〜１０６４（ＶＭ０〜ＶＭ３）を順次切替ながらサイクリックに画像データを書き込ませる。４回の同期信号で一巡し、５回目からは、第１番目に書き込んだビデオメモリへ上書きされる。
さらに、出力映像信号同期信号発生回路１０７から供給される同期信号ＲＳＹＮＣを契機に、書き込みが終了したビデオメモリを順次読み出す。
【００３６】
しかし、書き込み周期が読み出し周期より短い場合は、書き込みが読み出しに追いついてしまう。また、書き込み周期が読み出し周期より長い場合は、読み出しが書き込みに追いついてしまう。
そのため、同期乗換部１０６において、出力映像信号同期信号発生回路１０６から供給される同期信号を契機に、現在書き込んでいるビデオメモリと読み出しているビデオメモリの位置関係と、書き込みが完了した画像のライン数から、次に読み出すビデオメモリを決定する。
【００３７】
図６は、本実施形態における書き込み周期が読み出し周期より短い場合の現在書き込んでいるビデオメモリ（ＶＭ）、読み出しているビデオメモリ（ＶＭ）の位置関係と次回の読み出しを行うビデオメモリ（ＶＭ）を示す図である。
図６において、位置状態として３つの状態１１１，１１２，１１３を示している。
【００３８】
また、図７は、本実施形態に係る追い越し閾値を示す図である。
また、図８（Ａ）〜（Ｈ）は、本実施形態において、不必要な追い越しの抑止と、本来の追い越し行うタイミングに戻すため、追い越し閾値を設け、書き込みが完了したライン数からフィールドの追い越しを判断する動作例を示す図である。
図８の（Ａ）が入力映像信号ＩＶＤＯを、（Ｂ）が入力映像信号の同期信号ＳＹＮＣＩを、（Ｃ）が出力映像信号の同期信号ＳＹＮＣＯを、（Ｄ）が書き込み中のビデオメモリ（ＶＭ）の状態を、（Ｅ）が読み出し中のビデオメモリ（ＶＭ）の状態を、（Ｆ）が出力映像信号ＯＶＤＯを、（Ｇ）が書き込み完了ライン数が追い越し閾値ＶＴＨ１を超えず追い越しをしない場合を、（Ｈ）が書き込み完了ライン数が追い越し閾値ＶＴＨ１を超え追い越しをする場合を、それぞれ示している。
【００３９】
図６に示すように、状態１１１と状態１１２については、書き込みが読み出しに追いついていないため、次回の読み出し契機には、現在読み出しているビデオメモリの次のビデオメモリを読み出し対象とする。
状態１１３は、書き込みが読み出しに追いついている。このとき、ビデオメモリの書き込みが完了しているライン数が、追い越し閾値ＶＴＨ１を越えている場合、図７に示すように、連続した２フィールドの追い越しを行う。超えていない場合は、現在読み出しているビデオメモリの次のビデオメモリを読み出し対象とする。
本来であれば状態１１３の段階で、フィールドの追い越しを行うべきであるが、書き込み同期信号、あるいは、読み出し同期信号の揺らぎにより、読み出し同期信号の発生が遅延し、状態１１２であったにもかかわらず、状態１１３に遷移している。
したがって、図７および図８（Ａ）〜（Ｈ）に示すように、不必要な追い越しの抑止と、本来の追い越し行うタイミングに戻すため、追い越し閾値ＶＴＨ１を設け、書き込みが完了したライン数からフィールドの追い越しを判断させる（図１４）。
なお、追い越し閾値ＶＴＨ１は、任意の整数とする。
【００４０】
図９は、本実施形態における書き込み周期が読み出し周期より長い場合の現在書き込んでいるビデオメモリ（ＶＭ）、読み出しているビデオメモリの位置関係と次回の読み出しを行うビデオメモリ（ＶＭ）を示す図である。
図９において、位置状態として３つの状態１２１，１２２，１２３を示している。
【００４１】
また、図１０は、本実施形態に係る繰り返し閾値を示す図である。
また、図１１（Ａ）〜（Ｈ）は、本実施形態において、不必要な繰り返しの抑止と、本来の繰り返しを行うタイミングに戻すため、繰り返し越し閾値を設け、書き込みが完了したライン数からフィールドの繰り返しを判断する動作例を示す図である。
図１１の（Ａ）が入力映像信号ＩＶＤＯを、（Ｂ）が入力映像信号の同期信号ＳＹＮＣＩを、（Ｃ）が出力映像信号の同期信号ＳＹＮＣＯを、（Ｄ）が書き込み中のビデオメモリ（ＶＭ）の状態を、（Ｅ）が読み出し中のビデオメモリ（ＶＭ）の状態を、（Ｆ）が出力映像信号ＯＶＤＯを、（Ｇ）が書き込み完了ライン数が繰り返し閾値ＶＴＨ２を超えず追い越しをしない場合を、（Ｈ）が書き込み完了ライン数が繰り返し閾値ＶＴＨ２を超え追い越しをする場合を、それぞれ示している。
【００４２】
図９に示すように、状態１２１と状態１２２については、読み出しが書き込みに追いついていないため、次回の読み出し契機には、現在読み出しているビデオメモリの次のビデオメモリを読み出し対象とする。
状態１２３は、読み出しが書き込みに追いついている。このとき、ビデオメモリの書き込みが完了しているライン数が、繰り返し閾値を越えている場合、図１０に示すように、現在読み出しているビデオメモリの次のビデオメモリを読み出し対象とする。越えていない場合は、フィールドの繰り返しを行う。
本来であれば状態１２３の段階で、フィールドの繰り返しを行うべきであるが、書き込み同期信号、あるいは、読み出し同期信号の揺らぎにより書き込み同期信号の発生が遅延し、状態１２２であったにもかかわらず、状態１２３に遷移している。
したがって、図１０および図１１（Ａ）〜（Ｈ）に示すように、不必要な繰り返しの抑止と、本来の繰り返しを行うタイミングに戻すため、繰り返し越し閾値ＶＴＨ２を設け、書き込みが完了したライン数からフィールドの繰り返しを判断させる。
なお、繰り返し閾値ＶＴＨ２は、任意の整数とする。
【００４３】
同期乗換部１０６は、状態１１３、状態１２３の追い越し閾値ＶＴＨ１、繰り返し閾値ＶＴＨ２による制御により、入力映像信号と出力映像信号の同期信号が近似している場合に、同期信号の間隔に揺らぎが存在していたとしても、追い越し閾値と繰り返し閾値の値を調整することにより、ビデオメモリからの順次読み込みを行うことができる。
【００４４】
本実施形態においては、たとえば図１２に示すように、追い越し閾値、繰り返し閾値は、画像のアクティブエリア(Active Area)２０１上部、ならびに下部に存在する表示対象外のブランキングエリア(Blanking Area)２０２，２０３をマージンとして用い決定する。このマージンにより、同期信号の揺らぎを吸収する。
なお、図１２のブランキングエリアサイズ（ライン数）、アクティブフィールドサイズ（ライン数）は一例であり、実際の値は適用システムにより異なる。
【００４５】
以上説明したように、本実施形態によれば、入力されるデジタル映像信号から分離された同期信号ＷＳＹＮＣを契機に、ビデオメモリへの書き込みを行う機能と、書き込みが完了したライン数を検出する機能と、出力映像信号同期信号発生回路１０７で生成される出力となる所定のデジタルインターフェースの同期信号Ｓ１０７を契機に、画像データをビデオメモリから読み込みを行う機能と、を有し、入力される映像信号から分離された同期信号ＷＳＹＮＣを契機に、画像データを書き込むビデオメモリをサイクリックに切り替え、出力となる映像信号の同期信号ＲＳＹＮＣを契機に、書き込みが終了したビデオメモリを読み込み、この書き込んでいるビデオメモリと読み込んでいるビデオメモリの位置関係と、書き込みが終了したライン数から、次の出力となる映像信号の同期信号を契機に読み込みを行うビデオメモリを決定し、ビデオメモリの順次読み出しが不可能な場合は、連続した２フィールドを繰り返すこと、あるいは追い越すことにより、異なる同期信号周期を持つ映像信号を出力となる映像信号の同期信号周期に乗り換える同期乗換部１０６を有することから、同期信号同期が異なる映像信号、あるいは非標準信号を最低限のビデオメモリを用いて出力側同期に合わせた映像信号に変換することを可能となる利点がある。
そして、ソフトウェア制御下で、マージンとして用いるビデオメモリを必要としない、映像信号の同期乗換装置を実現できる。
また、ビデオメモリは容量が大きく、ビデオメモリの削減により、コストを抑えることができる。
【図面の簡単な説明】
【００４６】
【図１】ビデオメモリを４面使用した場合の書き込み中、読み出し中ビデオメモリの位置関係と次回の読み出しビデオメモリ（ＶＭ）を示す図である。
【図２】図１の状態１３の場合の読み出し処理を示す図である。
【図３】図１の状態１４の場合の読み出し処理を示す図である。
【図４】一般的な同期乗換処理の課題を説明するための図である。
【図５】本発明の実施形態に係る映像信号変換装置の構成例を示すブロック図である。
【図６】本実施形態における書き込み周期が読み出し周期より短い場合の現在書き込んでいるビデオメモリ（ＶＭ）、読み出しているビデオメモリ（ＶＭ）の位置関係と次回の読み出しを行うビデオメモリ（ＶＭ）を示す図である。
【図７】図７は、本実施形態に係る追い越し閾値を示す図である。
【図８】本実施形態において、不必要な追い越しの抑止と、本来の追い越し行うタイミングに戻すため、追い越し閾値を設け、書き込みが完了したライン数からフィールドの追い越しを判断する動作例を示す図である。
【図９】本実施形態における書き込み周期が読み出し周期より長い場合の現在書き込んでいるビデオメモリ（ＶＭ）、読み出しているビデオメモリの位置関係と次回の読み出しを行うビデオメモリ（ＶＭ）を示す図である。
【図１０】本実施形態に係る繰り返し閾値を示す図である。
【図１１】本実施形態において、不必要な繰り返しの抑止と、本来の繰り返しを行うタイミングに戻すため、繰り返し越し閾値を設け、書き込みが完了したライン数からフィールドの繰り返しを判断する動作例を示す図である。
【図１２】画像のブランキングエリアとアクティブエリアの一例を示す図であって、追い越し閾値、繰り返し閾値は、画像の上部、ならびに下部に存在する表示対象外のブランキングエリアをマージンとして用い決定する例を説明するための図である。
【符号の説明】
【００４７】
１００・・・映像信号変換装置、１０１・・・アナログ信号入力部、１０２・・・デジタル信号入力部、１０３・・・アナログ／デジタル（Ａ／Ｄ）変換部、１０４・・・切替部、１０５・・・画像データ・映像信号分離回路、１０６・・・同期乗換部、１０７・・・出力映像信号同期信号発生回路、１０８・・・画像処理回路、１０９・・・映像出力部。
【図１】
2007110251.tif 000003
【図２】
2007110251.tif 000004
【図３】
2007110251.tif 000005
【図４】
2007110251.tif 000006
【図５】
2007110251.tif 000007
【図６】
2007110251.tif 000008
【図７】
2007110251.tif 000009
【図８】
2007110251.tif 000010
【図９】
2007110251.tif 000011
【図１０】
2007110251.tif 000012
【図１１】
2007110251.tif 000013
【図１２】
2007110251.tif 000014
【手続補正書】
【提出日】平成17年11月8日(2005.11.8)
【手続補正１】
【補正対象書類名】図面
【補正対象項目名】全図
【補正方法】変更
【補正の内容】
【図１】
2007110251.tif 000015
【図２】
2007110251.tif 000016
【図３】
2007110251.tif 000017
【図４】
2007110251.tif 000018
【図５】
2007110251.tif 000019
【図６】
2007110251.tif 000020
【図７】
2007110251.tif 000021
【図８】
2007110251.tif 000022
【図９】
2007110251.tif 000023
【図１０】
2007110251.tif 000024
【図１１】
2007110251.tif 000025
【図１２】
2007110251.tif 000026